(57)【特許請求の範囲】
【請求項１】
ガイドスリーブを軸方向に貫通し上端でボタンに連結されることにより、前記ボタンとガイドスリーブとの間にカバー付きロック装置を形成するピンを備えたバネ式ロックプレスピンにおいて、
前記ロック装置は、ボタン内に位置するとともに軸方向において少なくとも部分的に下向きに開口しているリング状凹部からなり、
前記ガイドスリーブは、互いに向かい合うとともに互いの間に軸方向スロットを形成する少なくとも２つのロック歯により、バネの力によって前記リング状凹部に係合し、
さらに、前記バネを保持する領域は、前記ガイドスリーブにおける下向きに開口したボア内に位置しており、該ボアは、当該バネ式ロックプレスピンの前記ロック装置より下方に位置していることを特徴とするバネ式ロックプレスピン。
【請求項２】
２つの前記リング状凹部が、中央の軸に対して鏡像反転されており、前記ボタンにおける外部スリーブ部の半径方向内方で、かつ内部スリーブ部の半径方向外方に位置していることを特徴とする請求項１に記載のバネ式ロックプレスピン。
【請求項３】
前記ボタンにおける前記内部スリーブ部と前記外部スリーブ部とは、その底部で半径方向の連結フィンによって連結されていることを特徴とする請求項１又は２に記載のバネ式ロックプレスピン。
【請求項４】
前記ピンは取付構造を有しており、該取付構造は、前記ボタンの前記長手方向ボアの中にトゲ形フック状スタッドによって押し込まれることを特徴とする請求項１から３のいずれかに記載のバネ式ロックプレスピン。
【発明の詳細な説明】
【０００１】
【発明の属する技術分野】
本発明は、バネ式ロックプレスピンに関する。
【０００２】
【従来の技術】
このようなプレスピンとしては、例えば本件出願人の有するドイツ特許第９３１９８００Ｕ１号により公知となっている。
【０００３】
この特許に示されたプレスピンは、内部の、ガイドスリーブとスピンドル状のボタンとの間にロックを有するという利点を有している。このボタンは、回転させて移動させることができ、バネによる力をガイドスリーブに付与する。このようなカバー付きロック装置は、外部のごみの影響を受けにくいという利点を有する。保持領域は、スピンドル状のボタンとガイドスリーブとの間で、カバー付きロック装置の半径方向外方に配置され軸方向に延びている。しかし、この場合、ロック装置及びバネ構造が半径方向の連続的な構成として配置されるため、プレスピンの外径が非常に大きくなるという欠点が生じる。
【０００４】
【発明が解決しようとする課題】
したがって、本発明の目的は、小さな外径を有し、しかもカバー付きロック装置の利点を維持するように、冒頭で示した種類のプレスピンをさらに改良することである。
【０００５】
【課題を解決するための手段】
本発明の基礎となる目的は、請求項１に記載した内容によって解決される。すなわち、本発明は、ガイドスリーブを軸方向に貫通し上端でボタンに連結されることにより、前記ボタンとガイドスリーブとの間にカバー付きロック装置を形成するピンを備えたバネ式ロックプレスピンにおいて、前記ロック装置は、ボタン内に位置するとともに軸方向において少なくとも部分的に下向きに開口しているリング状凹部からなり、前記ガイドスリーブは、互いに向かい合うとともに互いの間に軸方向スロットを形成する少なくとも２つのロック歯により、バネの力によって前記リング状凹部に係合し、さらに、前記バネを保持する領域は、前記ガイドスリーブにおける下向きに開口したボア内に位置しており、該ボアは、当該バネ式ロックプレスピンの前記ロック装置より下方に位置していることを特徴とするバネ式ロックプレスピンを提供するものである。
【０００６】
本発明による利点は、特徴部分に示した３つの特徴を組み合わせることによって得られる。
【０００７】
第１の特徴は、軸方向において少なくとも部分的に下向きに開口したリング状凹部がスピンドル状ボタンに設けられており、特に容易な組立てが可能になるカバー付きロック装置である。
【０００８】
本発明の第２の特徴は、圧力バネが、ガイドスリーブの下向きに開口したボア内に配置され、引き込まれたピンの対応するショルダ（肩部）でのみ支持されている。ショルダがより大きな直径を有するため、第１の特徴と同様に、組立てを容易にするという目的を有する。これにより組立てがかなり簡略化される。
【０００９】
最後の特徴は、次の点で有利である。すなわち、カバー付きロック装置およびバネ構造が軸方向に連続的に構成されており、全体としてプレスピンの外周をより小さくする。
【００１０】
内部ロック装置と外部バネ構造とを半径方向に連続的に構成する従来技術に対する変更点は次の通りである。すなわち、本発明では、この２つの機能要素を連続的に軸方向に配置するか、あるいは上下に重ねており、それによってプレスピンの軸方向長さが公知のプレスピンよりもいくらか長くなるが、プレスピンの外周がかなり小さくなることである。
【００１１】
したがって、外径が小さくなるだけでなく、組立も容易になる。
【００１２】
本発明の好ましい実施形態では、リング状凹部がスピンドル状ボタンの２つのスリーブ部によって形成される。これらのリング状凹部は、スピンドル状ボタン内に位置しており、ガイドスリーブのロック歯を保持する。
【００１３】
したがって、これらのリング状凹部をスピンドル状ボタンの外周の非常に近くに配置することができ、それによってロック装置は良好な保持力を有することができる。
【００１４】
外部スリーブ部は、ロック装置を覆い、したがって、特に小さな幅を有するように形成することができる。
【００１５】
他の実施形態では、互いに対向し少なくとも２つの位置にある半径方向連結フィンによって、内部スリーブ部と外部スリーブ部とが、ボタンの底部で互いに連結される。
【００１６】
したがって、通常プラスチックで作られているボタンは、優れた安定性を有する。というのも、リング状凹部は外周の近くに配置されているが、ガイドスリーブのロック歯と係合するため、優れた安定性が確保されるからである。
【００１７】
このリング状凹部の底部に連結フィンを形成すると、リング状凹部は、２つのロック歯を使用することにより、対応する連結フィンを介して互いに向かい合う２つの場所で閉鎖される。したがって、連結フィンはボタンの外部スリーブ部と内部スリーブ部とを連結する。このような構成により、２つのスリーブ部が歪むことはなく、リング状凹部は、荷重を受けても機械的に非常に安定しており、ボタンが、係合するガイドスリーブの方へ長手方向軸に対してある角度だけ傾斜して作動する場合にも、曲げモーメントに耐えることができる。
【００１８】
他の利点は、ロック装置とバネ構造との連続的な構成から得られる。すなわち、バネがロック装置から分離して配置されているためプレスピンの大きなバネ式ストロークが可能になる。
【００１９】
したがって、ピンを含んだ空間の軸方向長さを非常に大きくすることができ、その結果、ピンが大きなストロークを有することができるという利点が得られる。これは、外部スリーブ部と内部スリーブ部との間に連結フィンが形成されているため、ストロークが大きい場合でも、安定して歪みを受けないリング状凹部がボタンに形成されるからである。
【００２０】
内部のピンが、トゲ形フック状取付構造を備えた軸方向スタッドを有することにより、組立は特に好ましいものになる。この取付構造は、トゲ形フック状突起（ｂａｒｂ−ｈｏｏｋ−ｌｉｋｅ  ｐｒｏｊｅｃｔｉｏｎｓ）によって、ボタンの長手方向のボアの壁面に係合する。
【００２１】
したがって、組み立ての際には、通常プラスチックで製造されたボタンの長手方向ボアを単にピンの取付構造の表面上に配置し、ボタンを手で叩くことにより、ピンがその取付構造とともにボタンのボアの内壁に押し込まれ、これによりボタンがピンと分離不能に連結される。したがって、たとえば、従来のドイツ特許第９３１９８００Ｕ１号とは異なり、保持リングによる連結は必要とされない。
【００２２】
本発明の主題は、個々の請求項の主題から得られるだけでなく、個々の請求項同士を組み合わせることによっても得られる。
【００２３】
要約書を含む文書に表されたすべての明細及び特徴、特に図面に表された空間の図は、個別にあるいは組み合わされたときに従来技術に対する新規性を有するかぎり、本発明にとって重要なものとみなされる。
【００２４】
以下に、１つの実施形態のみを表す図面を使用して本発明を詳しく説明する。さらに、本発明の重要な特徴および利点は図面およびその説明から明らかになる。
【００２５】
【発明の実施の形態】
本発明に係るバネ式プレスピンは基本的に、通常はプラスチックで形成され、上端に厚みのある頂部３を有するスピンドル状のボタン１からなり、軸方向および周方向におけるボタン１の作動を容易にするために、頂部３には、その外周に微細な凹凸を有する刻み付きリングが設けられている。
【００２６】
ボタンは、互いに向かい合い、かつ互いに鏡像反転させた状態で位置合わせされた（図３参照）２つのリング状凹部６を内部に有しており、したがって、各リング状凹部６の壁は、内部スリーブ部５の壁と、それに向かい合う外部スリーブ部４の壁とにより形成されている。
【００２７】
それぞれのリング状凹部６は下向きに開口しており、それによって、２つのスリーブ部４、５は、連結フィン８により、ボタン１の底部７の対向する２つの場所でのみ（図３参照）互いに連結されている。
【００２８】
対応するロック歯２１、２２は、形状が適合されて、互いに向かい合うほぼ半円状の２つのリング状凹部６に係合する。ロック歯は、ガイドスリーブ１４における上部自由端からの延長部である。
【００２９】
ガイドスリーブ１４は、金属部品で構成されるのが好ましく、上向きに延びて互いに向かい合い、しかもほぼ半円状のロック歯２１、２２を有している。ロック歯２１、２２は、図２及び図３に示すように、周方向にほとんど間隙のない状態でリング状凹部６に係合している。ここでは、ロック歯２１、２２は軸方向に調整可能に取り付けられている。
【００３０】
ロック歯２１、２２は、互いに向かい合い軸方向に延びる２つのスロット２４によって周方向に分離されている。ロック歯２１、２２とガイドスリーブ１４本体との連結部の下方には、キースタッド９がガイドスリーブ１４に形成されている。その下に、さらに小さな直径を有するショルダ１３が形成されており、ショルダ１３は、その下に形成されたねじ１２の逃げみぞとなっている。
【００３１】
ガイドスリーブの内部には、一方向に開口した内部軸方向ボア１７が形成されており、このボアにピン１０が係合している。このピンは、下部開放端にスラスト片１１を有している。このスラスト片１１は、ボア内に配置された圧力バネ１８に抗してボタン１が引き上げられたときに、ボア１７に入り見えなくなる。
【００３２】
バネ１８は、一端部がボア１７上部における内部スタッドによって支持されるとともに、他端部がピン１０のスタッド１５における対応するショルダ（肩部）によって支持されている。
【００３３】
とげ形フック状スタッドを有する取付構造１９が、ガイドスリーブ１４を貫通するピン１６から延びている。
【００３４】
この取付構造１９は、ボタン１の長手方向に形成されたボア２０に押し込まれ固定される。
【００３５】
組み立ての際には、図２に示す構造全体をある面上に、スラスト片１１がその面に接触するように配置する。そして、長手方向のボア２０が取付構造１９に接触するように、ボタン１を、取付構造１９を有する上向きに開放したピン１６上に被せる。
【００３６】
続いて、ボタン１を素早く叩くことによって下向きに動かし、それによって、取付構造１９を長手方向のボア２０の中に押し込む。こうして、ボタン１とピン１０とが分離不能に連結される。
【００３７】
スラスト片１１のロックされた引込み位置を形成するには、ボタン１を、ガイドスリーブ１４に対し圧力バネ１８のバネ力に抗して上向きに引っ張り、それによって、ロック歯２１、２２とボタン１における対応するリング状凹部６との係合を解除する。
【００３８】
こうして、ボタン１を周方向に旋回させることができ、その結果、ロック歯２１、２２の上部領域が連結フィンの下面に隣接する。これによって、ボタン１の引込みロック位置が構成される。
【００３９】
図２に示された初期位置に戻すためには、スリーブ１４に対してボタン１を再び旋回させ、それによって、ロック歯２１、２２を再びリング状凹部１６に係合させ、圧力バネ１８の力により、図２および図３に示された係合位置に到達させる。
【００４０】
この構造の利点は、ボア１７が比較的大きな軸方向長さを有することができ、したがって、ボタン１を大きなストロークによって変位させることができることである。したがって、もちろん、リング状凹部６の軸方向長さを適合させる必要がある。
【００４１】
大きなストロークにもかかわらず、外部スリーブ部４と内部スリーブ部５とが上述の対向する連結フィン８によって連結されているため、ボタン１の構成が安定したものとなる。
【図面の簡単な説明】
【図１】本発明に係るプレスピンの側面図である。
【図２】図１のＡ−Ａ線断面図である。
【図３】図１のＢ−Ｂ線断面図である。
【符号の説明】
１  スピンドル状ボタン
４  外部スリーブ部
５  内部スリーブ部
６  リング状凹部
７  底部
８  連結フィン
１０  ピン
１４  ガイドスリーブ
１６  ピン
１７  ボア
１８  圧力バネ
１９  取付構造
２０  長手方向ボア穴
２１  ロック歯
２２  ロック歯
２４  スロット
【図１】
0004189625.tif 000002
【図２】
0004189625.tif 000003
【図３】
0004189625.tif 000004